(57)【要約】      （修正有）【課題】複数のファームウェアを有する機器におけるファームウェアのアップデート方法において、ファームアップの対象となるファームウェアの指定を容易にし、ファームアップの組み合わせやアップデートをおこなう順番が不適切なまま実行されることがないようにする。【解決手段】ファームアップ・モードが設定されると（Ｓ１）外部記憶媒体から供給されるバージョン情報をもとにファームアップ可能なファームウェアがバージョン情報と共に表示され、表示されているファームウェアがすべて指定さると既存ファームウェアと新しいファームウェアのバージョン情報が対比して表示され（Ｓ４）、表示されているリストの中からアップデートするファームウェアを指定すると（Ｓ５）指定されたファームウェアが選択され（Ｓ７）、関連するアップデートの必要なファームウェアが選択（Ｓ１５）され、優先順位が決定され、アップデートが実行される。【選択図】図１５
2007310690.tif 000002
【特許請求の範囲】
【請求項１】
互いに異なる機能を有する複数のセクションにそれぞれファームウェアを備える装置におけるファームウェアのアップデート方法であって、
新バージョンのファームウェアが格納された外部記憶媒体が装着されると、そのファームウェアの新バージョン情報を取得するバージョン情報取得ステップと、
取得した新バージョン情報とそれに対応する既存ファームウェアのバージョン情報とをセクション毎に対比してそれらのファームウェア名を表示するファームウェア名表示ステップと、
セクション毎に表示された各ファームウェア名に対してファームアップの対象とするファームウェアの指定操作が行われると、当該装置内にあらかじめ保存されているファームアップ管理情報を用いてアップデートすべきファームウェアの選択処理をするファームウェア選択処理ステップと、
前記選択処理の結果に基づいてバージョンアップ処理を行うバージョンアップ処理ステップと、
前記バージョンアップ処理の結果に基づいてアップデート処理を実行するアップデート処理実行ステップと
を有することを特徴とするファームウェアのアップデート方法。
【請求項２】
前記ファームウェア選択処理ステップは、前記指定操作により指定されたファームアップの組み合わせの適否を判定するステップを含むことを特徴とする請求項１に記載のファームウェアのアップデート方法。
【請求項３】
前記ファームウェア選択処理ステップは、関連してバージョンアップの必要性があるファームウェアを選択するステップを含むことを特徴とする請求項１又は２に記載のファームウェアのアップデート方法。
【請求項４】
前記バージョンアップ処理ステップは、当該装置内に保存されているファームアップ管理情報に基づいて前記選択されたファームウェアに対しアップデートする優先順を決定するステップを含むことを特徴とする請求項３に記載のファームウェアのアップデート方法。
【請求項５】
前記外部記憶媒体はＵＳＢメモリであることを特徴とする請求項１から４のいずれかに記載のファームウェアのアップデート方法。
【請求項６】
アップデート実行処理は、前記選択されたファームウェアのデータが前記ＵＳＢメモリから当該装置内の記憶手段に取り込まれた後に開始されることを特徴とする請求項５に記載のファームウェアのアップデート方法。
【請求項７】
前記装置は複合型画像形成装置であることを特徴とする請求項１から６のいずれかに記載のファームウェアのアップデート方法。
【請求項８】
請求項１から７のいずれかに記載のアップデート方法をコンピュータに実行させる手順を備えていることを特徴とするコンピュータプログラム。
【請求項９】
請求項８に記載のコンピュータプログラムがコンピュータによって読み取られ、実行可能に記録されていることを特徴とする記録媒体。
【発明の詳細な説明】
【技術分野】
【０００１】
本発明は、複数の機能有する装置におけるファームウェアのアップデート方法、プログラム、記憶媒体に関するものである。
【背景技術】
【０００２】
一般に、装置の動作制御をファームウェアにより実現している機器においては、その機能拡張や機器の不具合解消のために、ＲＯＭに書き込まれたファームウェアの書き換え（アップデート）が行なわれる。
ファームウェアのバージョンアップにともなう書き換え作業を簡素化し、作業の効率化を図る技術として、例えば特許文献１にみられるような、現在使用している機器のファームウェアの既存バージョンについて、チェック済みか否かの確認を行い、確認が終了していなければ、機器から既存バージョンを読み出して、該既存バージョンが最新バージョンと一致しているか否かを比較し、一致していない場合は、最新バージョンの出力制御用ファームウェアを機器へ転送し、転送した最新バージョンが既存バージョンに代わって正しく書き換えられているか否かを判断し、判断結果に応じて最新バージョン又は既存バージョンのいずれかを選択して、所定の出力処理を実行するものがある。
【０００３】
また、特許文献２のように、ファームウェアのバージョンアップ時に新しいファームウェアのダウンロードや書き換え処理にかかる時間を短縮できるようファームウェアを格納するメモリを複数の領域に分割し、領域毎に複数のモジュール群に分割されたファームウェア本体を配置し、ファームウェアのバージョンアップ時に変更のあるモジュール群が格納された領域のみを書き換えるようにしたものも提案されている。
【特許文献１】特開２００２−３５８０９号公報
【特許文献２】特開２００２−３４２１００号公報
【発明の開示】
【発明が解決しようとする課題】
【０００４】
しかしながら、上述した従来技術はいずれも機器の動作制御を行うファームウェアが１つであることが前提となっているものであり、例えば、スキャナ、コピー、プリンタなど複数の機能を有する複合機のようにそれぞれの機能に対応して複数のファームウェアが存在するような機器に適用することはできない。その理由は、複合機などの複数の機能を備えた機器おけるファームウェアのアップデートは、機種毎のファームアップの組み合わせやアップデートの優先順を把握した上で行なう必要があるからである。
【０００５】
したがって、複合機などにおけるファームウェアのファームアップ作業は、その装置内部の構成を理解しているメーカ側のサービス員が作業マニュアルに基づいて手作業で行なっているのが現状である。ファームアップの組み合わせやアップデートの順番が適切でない場合には、一方のユニットから送信された情報が他方のユニットでは判断できなくなったりして、ファームアップによる機能の追加を行なった場合でも追加された機能が動作しなかったり、装置が誤動作する可能性もあり、最悪の場合には装置がハングアップし動作不可能になることもある。
【０００６】
本発明は、上述のごとき現状に鑑み、ファームアップの対象となるファームウェアの指定を容易にし、ファームアップの組み合わせやアップデートをおこなう順番が不適切なまま実行されることがないファームウェアのアップデート方法、プログラム、記憶媒体を提供することを目的とするものである。
【課題を解決するための手段】
【０００７】
本発明は、上述のごとき課題を解決するために、以下の各技術手段により構成される。
第１の技術手段は、互いに異なる機能を有する複数のセクションにそれぞれファームウェアを備える装置におけるファームウェアのアップデート方法であって、新バージョンのファームウェアが格納された外部記憶媒体が装着されると、そのファームウェアの新バージョン情報を取得するバージョン情報取得ステップと、取得した新バージョン情報とそれに対応する既存ファームウェアのバージョン情報とをセクション毎に対比してそれらのファームウェア名を表示するファームウェア名表示ステップと、セクション毎に表示された各ファームウェア名に対してファームアップの対象とするファームウェアの指定操作が行われると、当該装置内にあらかじめ保存されているファームアップ管理情報を用いてアップデートすべきファームウェアの選択処理をするファームウェア選択処理ステップと、
前記選択処理の結果に基づいてバージョンアップ処理を行うバージョンアップ処理ステップと、前記バージョンアップ処理の結果に基づいてアップデート処理を実行するアップデート処理実行ステップと、を有することを特徴とする。
【０００８】
第２の技術手段は、第１の技術手段において、前記ファームウェア選択処理ステップは、前記指定操作により指定されたファームアップの組み合わせの適否を判定するステップを含むことを特徴とする。
【０００９】
第３の技術手段は、第１又は２の技術手段において、前記ファームウェア選択処理ステップは、関連してバージョンアップの必要性があるファームウェアを選択するステップを含むことを特徴とする。
【００１０】
第４の技術手段は、第３の技術手段において、前記バージョンアップ処理ステップは、当該装置内に保存されているファームアップ管理情報に基づいて前記選択されたファームウェアに対しアップデートする優先順を決定するステップを含むことを特徴とする。
【００１１】
第５の技術手段は  第１から４のいずれかの技術手段において、前記外部記憶媒体はＵＳＢメモリであることを特徴とする。
【００１２】
第６の技術手段は  第５の技術手段において、アップデートの実行処理は、前記選択されたファームウェアのデータが前記ＵＳＢメモリから当該装置内の記憶手段に取り込まれた後に開始されることを特徴とする。
【００１３】
第７の技術手段は、第１から６のいずれかの技術手段において、前記装置は複合型画像形成装置であることを特徴とする。
【００１４】
第８の技術手段は、第１から７のいずれかの技術手段におけるファームウェアのアップデート方法をコンピュータに実行させる手順を備えているコンピュータプログラムであることを特徴とする。
【００１５】
第９の技術手段は、第８の技術手段におけるコンピュータプログラムがコンピュータによって読み取られ、実行可能に記録されている記録媒体であることを特徴とする。
【発明の効果】
【００１６】
本発明によれば、装置の各セクションにおける既存ファームウェアのバージョン情報と外部記憶媒体に格納されている新ファームウェアのバージョン情報とが対比して表示された画面をみながらファームアップするファームウェアの指定を行うことができるのでファームアップ作業が容易になり、また、指定したファームアップの組み合わせの適否はシステム側でチェックされ、アップデートする順番もシステム側で決定されるので、不適切な組み合わせや不適切な順番でアップデートが実行されてしまうという問題を解消することができる。
【発明を実施するための最良の形態】
【００１７】
図１は、本発明をデジタル複合機に適用した場合の実施形態を示すブロック構成図で、デジタル複合機１は、ファクシミリ装置，ネットワークスキャナ装置，プリンタ装置，メール送信装置などの機能を有しており、本実施形態においては、外部からファームアップ用のファームウェアを供給するためのＵＳＢメモリ２を装着するＵＳＢコネクタ（不図示）を備えている。図１において、１０は装置全体の動作を制御する機器制御部で、セクション「ＩＣＵ  ＭＩＮ」（メイン制御部）のファームウェア１０ａ，セクション「ＩＣＵ  ＢＯＯＴ」（起動制御部）のファームウェア１０ｂを備えている。２０は、原稿画像を画像データとして取り込むためのＣＣＤ２１、原稿の有無を検知する原稿検知センサ２２などを有する画像読み取り部で、セクション「ＳＣＵ」（スキャナ制御部）のファームウェア１０ａを備えている。３０は、画像読み取り部２０が生成した画像データやネットワークを介して外部機器から送られてくる画像データを一時的に記憶しておくメモリ３１、メモリ３１に記憶した画像データから画像を形成して記録用紙に記録する印字部（ＬＳＵ）３２などを有する画像形成部で、セクション「ＰＣＵ」（プリンタ制御部）のファームウェア３０ａを備えている。４０は、メモリに取り込まれたデジタル画像データに対し、編集や拡大・縮小その他各種の画像処理をおこなう画像処理部４０で、セクション「ＩＭＧ  ＡＳＩＣ」（画像処理部）のファームウェア４０ａを備えている。
【００１８】
５０は操作表示部で、使用者の操作により各種の指定、モード選択、その他の情報を入力するためのタッチパネルと操作のために必要な情報その他各種の情報を表示する液晶パネルとが一体的に構成されている。６０は画像読取部４０が生成した画像データ等の画像処理に係る画像データをはじめ各種の情報を記憶しておくハードディスクで、ファームアップをおこなう場合にＵＳＢメモリ２からのデータを取り込んで一旦保存するときにも利用される。７０はデジタル複合機１が実行する各種の処理を管理するための管理情報（各種の制御情報）を記憶するメモリである。
【００１９】
以上の構成は、従来のデジタル複合機と同様であり、画像読取部２０が生成するなどした画像データを通信部（ＮＩＣ）からパーソナルコンピュータ（ＰＣ）へ送信することができ、ネットワークスキャナ装置として機能する。また、生成した画像データをＨＤ６０に保存する場合には、デジタル複合機１は単なるスキャナ装置として機能することとなる。また、デジタル複合機１は、ネットワークを介してパーソナルコンピュータ（ＰＣ）から送信された画像データを通信部（ＮＩＣ）で受信し、受信した画像データから画像形成部３０で画像を形成することができ、プリンタ装置として機能する。
【００２０】
本実施形態では、上述したようなデジタル複合機においてファームウェアのアップデートを行うにあたり、外部から新しいファームウェアを供給する外部記憶メモリとしてＵＳＢメモリを採用しており、外部から新バージョンのファームウェア供給するためのＵＳＢメモリ２との間でデータの送受信を可能にするＵＳＢインターフェース８０を備えている。
【００２１】
ファームアップ管理部９０は、バージョン情報取得部９１、バージョンアップ処理部９２を含んで構成されており、バージョン情報取得部９１は既存ファームウェアのバージョン情報および外部記憶媒体に格納されている新ファームウェアのバージョン情報を取得する機能を有しており、バージョンアップ処理部９２は、当該管理部内にあらかじめ保存されているバージョンアップ履歴情報や他のセクションのファームウェアとの関連情報を参照し、指定されたファームアップの組み合わせの適否や関連してファームアップが必要なファームウェアの有無を判定する機能、アップデートの優先順を判定し、決定する機能等を有している。
【００２２】
次に、本発明をデジタル複合機に適用した実施形態の動作について、表示部５１における表示画面に基づいて説明する。図２は、図１おける操作表示部５０の一例を示す図で、液晶パネルからなる表示部５１は前述したようにタッチパネルと一体になっており、画面に表示されている項目やキーにタッチすることで各種の設定や指定、モード選択などが行えるようになっている。
【００２３】
ファームアップ作業を行う場合は、先ずユーザ設定キー５２を押下し、図３のユーザ設定メニュー画面で「サービスプログラム」を選択すると図４のサービスコード入力画面に切り替わり、テンキー５３からファームアップに対応しているサービスコードを入力すると（図５）、図６の表示画面に切り替わるので、この表示画面でシュミレーションコードを例えば“５５−０１”と入力しＯＫキーを押下することにより、ファームアップ・モードが設定される。
【００２４】
ファームアップ・モードが設定されるとファームアップ管理部９０に保存されている既存ファームウェアのバージョン情報が読み出され、図７に示すようにバージョン名とリリース日がセクション毎に表示される。つづいて新バージョンのファームウェアが格納されたＵＳＢメモリ２を装置のＵＳＢコネクタに装着するとシステムはＵＳＢメモリ２を認識し、表示部５１の画面に図８に示すメッセージを表示する。
ＵＳＢメモリ２がシステムに認識されると、ファームアップ管理部９０のバージョン情報取得部９１は新ファームウェアのバージョン情報を取得し、対応する既存ファームウェアのバージョン情報と共にそれらのファームウェア名を図９に示す表示画面のようにセクション毎に対比して表示する。図９の表示例はＵＳＢメモリに格納されているファームウェアの数が３ページに亘って存在していることを表している。ファームアップ作業者は表示されているファームウェアの双方のバージョンを確認しながらファームアップの対象とするファームウェアの指定を行う。表示されているファームウェアをすべてファームアップの対象とする場合は、図９の表示画面で「ＡＬＬ  ＳＥＬＥＣＴ」キーを押下することにより図１０に示すように表示されているセクションが反転表示に替わり、表示されているファームウェアをすべて指定することができる。
また、クライアントとのサポート契約内容やその他の理由でアップデートするファームウェアが決まっている場合は、図９の表示画面で該当するセクションの箇所をタッチすることにより指定する。
このようにファームアップ作業者は、ＵＳＢメモリに格納されている新ファームウェアバージョン情報とそれに対応する既存ファームウェアのバージョン情報とがセクション毎に対比して表示されている画面を見ながらファームアップの対象とするファームウェアの指定を行うことができる。
【００２５】
ファームアップの対象とするファームウェアを指定してＯＫキーを押下すると、ファームアップ管理部９０のバージョンアップ処理部９２はファームウェアの選択処理を開始し、指定された新ファームウェアのバージョン情報、当該管理部に保存されている各ファームウェアのバージョンアップ履歴情報、他のファームウェアとの関連情報などを参照して、指定されたファームアップの組み合わせの適否の判定、関連してファームアップする必要のあるファームウェアの存在の有無の判定等を行ってアップデートすべきファームウェアを選択し、アップデートする順番を決定する。
【００２６】
図１１は、ファームアップ管理部９０における選択処理により選択されたファームウェアをセクション毎にその既存ファームウェアのバージョン名と新バージョンのリリース日と共に表示するようにした表示例を示したもので、図示の例は該当するファームウェアが２ページ目に亘って合計６個存在している。表示されているファームウェアを確認してＯＫキーを押下すると図１２に示すように表示が反転表示に替わり、ＵＳＢメモリ２か選択されたファームウェアのプログラムデータがハードディスク６０に取り込まれ、取り込みが終了するとアップデートを開始する直前の確認メッセージが表示される。なお、図示の例は、アップデートされるファームウェアが６個となっており、図１１の画面で表示されている個数と同じあるので、関連してアップデートする必要性のあるファームウェアは存在しなかったことを意味している。
【００２７】
表示されているファームウェアを再度確認してＯＫキーを押下すると、ファームアップ管理部９０からアップデートするファームウェア名とアップデートする順番についての情報が機器制御部１０に送られ、アップデートが開始される。図１３は、アップデートの進行状況を表す表示例を示したもので、セクション「ＩＣＵ（ＢＯＯＴ）」，「ＰＣＵ」，「ＩＣＵ（ＭＡＩＮ）」のアップデートが終り、セクション「ＩＭＡＧＥ  ＡＳＩＣ」がアップデート中であることを表している。
選択されたファームウェアのアップデートがすべて終了すると図１４の画面になり、装置の再起動を促すメッセージが表示され、ファームアップ作業は終了する。
このように、バージョンアップの対象となるファームウェアを自動的に選択して表示することにより、アップデートを実行するファームウェアの指定作業を効率良く、確実に行うことができ、不適切な組み合わせや無駄なアップデートを避けることができる。
【００２８】
図１５，１６は、上述したデジタル複合機におけるファームアップの処理フローを示す。前述したように図２の画面で「ユーザ設定」を選択して順次操作を行ない、図６の画面でファームアップのサービスコードを入力しＯＫすることでファームアップ・モードが設定されると（ステップＳ１）、ファームアップ管理部９０に保存されている既存ファームウェアのバージョン情報を読み出して図７の画面を表示する（ステップＳ２）。ここでファームアップ作業者がＵＳＢメモリ２を装着するとシステムはそれを認識し（ステップＳ３）、ＵＳＢメモリに格納されている新ファームウェアのバージョン情報を取得して既存ファームウェアのバージョン情報と共に前述した図９の画面を表示する（ステップＳ４）。図９の表示画面でファームアップ作業者が「ＡＬＬ  ＳＥＬＥＣＴ」キーまたは個別選択でファームアップの対象とするファームウェアを指定してＯＫキーを押下すると（ステップＳ５）、それを判別し（ステップＳ６）、ファームアップ管理部９０においてアップデートするファームウェアの選択処理が開始される(ステップＳ７)。
【００２９】
ファームウェアの選択処理では、前述したように指定されたファームアップの組み合わせの適否が判定され（ステップＳ８）、その組み合わせが不適切な場合はエラーメッセージを表示する（ステップＳ９）。指定をやり直す場合は（ステップＳ１０／Ｙ）、図１０の表示画面で「戻る」キーを押下することによりステップＳ５に戻ってファームウェアの指定をやり直すことができる。
ファームアップの組み合わせが適切な場合はステップＳ１１に進み、関連してファームアップする必要性のあるファームウェアが存在する否かの判定が行なわれ、存在する場合はステップＳ１２進み、外部記憶媒体にそのファームウェアが存在しない場合はエラーメッセージを表示する（ステップＳ１３）。指定をやり直す場合は図１０の表示画面で「戻る」キーを押下し、ファームアップ作業を中止する場合は「終了」キーを押下する。
外部記憶媒体にそのファームウェアが存在する場合をそのファームウェアを選択して（ステップＳ１５）、ステップＳ１６に進む。
【００３０】
ステップＳ１６では選択されたファームウェアをファームアップの優先順に既存のバージョン名と新リリース日とをセクション毎に表示し(図１１)、ステップＳ１７に進む。
ステップＳ１７では、ファームアップするファームウェアを変更する必要があることに気が付いたような場合に指定のやり直しが行えるようになっており、「戻る」キーを押下すると（ステップＳ１８／Ｙ）ステップＳ５に戻り、また、「終了」キーを押下すれば（ステップＳ１８／Ｎ）。ファームアップが中止される。
【００３１】
ファームアップを実行するファームウェアが画面に表示されているとおりで良い場合はＯＫキーを押下すると（ステップＳ１７／Ｙ）、前述したように表示が反転表示に替り(ステップＳ１９)、該当するファームウェアのプログラムデータがＵＳＢメモリ２から取り込まれ、取り込みが終了すると確認のメッセージが表示される（図１２）。
図１２の表示画面でアップデートするファームウェアの最終確認をしてＯＫキーを押下すると(ステップＳ２０)前述した優先順にアップデートが開始される(ステップＳ２１)。アップデートの実行処理中はその進行状況が図１３のように表示され(ステップＳ２２)、該当するすべてのファームウェアのアップデートが終了すると図１４に示すような終了メッセージが表示され（ステップＳ２３）、アップデート処理が終了する。
【００３２】
本実施形態の説明で明らかなように、本発明によれば、ファームアップ作業を行うにあたり、新ファームウェアのバージョン情報と共に既存ファームウェアのバージョン情報がセクション毎に対比して表示された画面で、バージョン名，リリース日を確認しながらファームアップの対象となるファームウェアの指定操作を行うことができるので、ファームアップ作業が容易になり、ミスや無駄なファームアップを防止することができる。
また、ファームアップ作業者が指定したファームアップの組み合わせに問題がある場合はエラーメッセージが表示されるので、不適切な組み合わせのままアップデートが行われてしまうことがない。
【００３３】
また、本実施形態によれば、ファームアップの必要なファームウェアのプログラムデータがＵＳＢメモリからハードディスクにコピーされた後でなければアップデートが実行されないので、不用意にＵＳＢメモリが引き抜かれたりしても不完全なファームアップが行われてしまうような事態は発生しない。  
【００３４】
なお、外部から供給するファームアップ用のファームウェアを記憶する媒体は、ＣＤ−ＲＯＭ、ＤＶＤ−ＲＯＭ、ＤＶＤ−ＲＡＭなどであってもよいことは言うまでもない。
【図面の簡単な説明】
【００３５】
【図１】本発明の実施態様にかかるデジタル複合機のブロック構成図である。
【図２】操作表示部の一例を示す図である。
【図３】ユーザ設定画面でサービスプログラムを選択する表示画面を示す図である。
【図４】ユーザ設定画面でサービスコードを入力する表示画面を示す図である。
【図５】ユーザ設定画面でサービスコードを入力した表示画面を示す図である。
【図６】ユーザ設定画面でシュミレーションコード入力する表示画面を示す図である。
【図７】ファームアップ・モードが設定された際に、既存ファームウェアのバージョン情報が表示される表示画面を示す図である。
【図８】ＵＳＢメモリの装着により新バージョンのファームウェアが認識されたことを示すメッセージが表示される表示画面を示す図である。
【図９】ＵＳＢメモリに格納されている新バージョンのファームウェアとそれに対応する既存ファームウェア双方のバージョン情報をセクション毎に対比して表示する表示画面例を示す図である。
【図１０】図９の表示画面で「ＡＬＬ  ＳＥＬＥＣＴ」キーが押下されたときの表示画面を示す図である。
【図１１】ファームアップの対象となるファームウェアが自動選択された場合の表示画面例を示す図である。
【図１２】図１１の表示画面でＯＫキーが押下されたときの表示画面例を示す図である。
【図１３】アップデートの進行状況を表す表示画面例を示す図である。
【図１４】アップデートが終了したことを知らせるメッセージを表示する表示画面例を示す図である。
【図１５】本発明の実施態様におけるファームウェアのアップデート方法を説明するためのフロー図である。
【図１６】図１５のフロー図の続きの図である。
【符号の説明】
【００３６】
１…デジタル複合機、２…ＵＳＢメモリ、１０…機器制御部、２０…画像読み取り部、３０…画像形成部、４０…画像処理部、５０…操作表示部、８０…ＵＳＢインターフェース、９０…ファームアップ管理部、１０ａ，１０ｂ，２０ａ，３０ａ，４０ａ…ファームウェア。
【図１】
2007310690.tif 000003
【図２】
2007310690.tif 000004
【図３】
2007310690.tif 000005
【図４】
2007310690.tif 000006
【図５】
2007310690.tif 000007
【図６】
2007310690.tif 000008
【図７】
2007310690.tif 000009
【図８】
2007310690.tif 000010
【図９】
2007310690.tif 000011
【図１０】
2007310690.tif 000012
【図１１】
2007310690.tif 000013
【図１２】
2007310690.tif 000014
【図１３】
2007310690.tif 000015
【図１４】
2007310690.tif 000016
【図１５】
2007310690.tif 000017
【図１６】
2007310690.tif 000018